(57)【特許請求の範囲】
【請求項１】
キャリッジに搭載された記録ヘッドの往復移動により連続紙に記録書込みを行うインクジェット式プリンタであって、
前記キャリッジに搭載され、連続紙を切断するカッターと、該カッターを作動させる電磁プランジャとからなる切断手段と、
前記キャリッジを、キャップにて記録ヘッドを封止するホームポジションに保持するキャリッジロック手段と、
該キャリッジロック手段によって保持される前記キャリッジに搭載され、前記キャリッジロックを解除するキッカーを有するロック解除手段と、を備え、
前記ロック解除手段は、前記切断手段の電磁プランジャに連係され、該電磁プランジャが連続紙を切断するときのカッター動作およびキャリッジロックを解除するときのキッカー動作を連動して行うことを特徴とするインクジェット式プリンタ。
【請求項２】
前記キャリッジロック手段は、キャリッジの被ロック部をロックするロック部材と、該ロック部材を前記被ロック部側に付勢するバネとからなり、
前記キャリッジがホームポジションに移動したときに、前記被ロック部が前記ロック部材に当接し、該ロック部材をバネの付勢に抗して反ロック方向に移動させ、ロックされることを特徴とする請求項１記載のインクジェット式プリンタ。
【請求項３】
前記切断手段とロック解除手段がキャリッジの往復移動に対し直交する、ほぼ直線上に配置され、電磁プランジャが切断手段のカッターとロック解除手段のキッカーとの間に配置され、該電磁プランジャにより動作するレバーを前記カッターおよびキッカーに連係させたことを特徴とする請求項１または２記載のインクジェット式プリンタ。
【発明の詳細な説明】
【０００１】
【発明の属する技術分野】
本発明は、インクジェット式の記録ヘッドを備えたプリンタに係り、特にキャリッジに搭載された切断装置の電磁プランジャでホームポジションに保持されたキャリッジのロック解除を行うキッカーを作動させるようにしたプリンタに関する。
【０００２】
【従来の技術】
従来、インクジェット式プリンタでは、記録書込み処理を終えたキャリッジをホームポジションへ移動し、記録ヘッドをキャッピングした状態でロックし、また必要に応じてはキャップの内部をポンプにより負圧にして記録ヘッドの面をクリーニングするようにしている。
このようなキャリッジロック動作は、キャップ内でのインクの吸引動作や紙送り動作と連動しているため、インク吸引ポンプの駆動機構によってロック部材を退避位置とロック位置とに変位させる構成、或いは紙送り機構の紙送りローラの正転または逆転によってロック部材を退避位置とロック位置とに変位させる構成などの提案がなされている。
また、記録用紙として連続紙を用いる場合は、記録書込み処理後においてカッターにより切断している。この記録用紙の切断動作は、一般にキャリッジとは別にカッターを備えた切断ヘッドを用紙搬送方向に直交する方向に走行させて切断する方式が採用されている。
【０００３】
【発明が解決しようとする課題】
従来のキャリッジのロック解除や記録用紙の切断のための機構には、専用の駆動部が備えられているため、多くの部品を必要とし、装置を複雑化させていた。
本発明の目的は、キャリッジに搭載したロック解除と用紙切断のための機構の駆動源を共通化し、部品の削減を図ったプリンタを提供することにある。
【０００４】
【課題を解決するための手段】
上記の目的を達成する為、請求項１の発明は、キャリッジに搭載された記録ヘッドの往復移動により連続紙に記録書き込みを行うインクジェット式プリンタであって、キャリッジに搭載され、連続紙を切断するカッターと、該カッターを作動させる電磁プランジャとからなる切断手段と、キャリッジを、キャップにて記録ヘッドを封止するホームポジションに保持するキャリッジロック手段と、該キャリッジロック手段によって保持される前記キャリッジに搭載され、キャリッジロックを解除するキッカーを有するロック解除手段とを備え、ロック解除手段は、切断手段の電磁プランジャに連係され、該電磁プランジャが連続紙を切断するときのカッター動作およびキャリッジロックを解除するときのキッカー動作を連動して行うことを特徴とする。
請求項１の発明によれば、電磁プランジャを切断手段とロック解除手段の共通の駆動源とすることで、部品を削減し、キャリッジの簡素化、軽量化が図れる。
【０００５】
請求項２の発明は、請求項１の発明において、キャリッジロック手段は、キャリッジの被ロック部をロックするロック部材と、該ロック部材を被ロック部側に付勢するバネとからなり、キャリッジがホームポジションに移動したときに、被ロック部がロック部材に当接し、該ロック部材をバネの付勢に抗して反ロック方向に移動させ、ロックされることを特徴とする。
請求項２の発明によれば、キャリッジロックにバネ力を利用することで、コスト低減が図れる。
【０００６】
請求項３の発明は、請求項１または２の発明において、切断手段とロック解除手段がキャリッジの往復移動に対し直交する、ほぼ直線上に配置され、電磁プランジャが切断手段のカッターとロック解除手段のキッカーとの間に配置され、該電磁プランジャにより動作するレバーをカッターおよびキッカーに連係させたことを特徴とする。
請求項３の発明によれば、電磁プランジャの動力がレバーの中間部に作用するよう構成されているので、切断手段のカッターとロック解除手段のキッカーへ与える力のバランスが良く、安定した動作が行われる。
【０００７】
【発明の実施の形態】
本発明の実施例について図面を参照しながら説明する。本実施例は、Ａ１判またはＢ１判程度の用紙幅の記録用紙まで記録を行うことができる大型のプリンタに適用したものである。図１は本発明に係るプリンタにおけるプリンタ本体の前蓋を開いた状態を示す斜視図、図２は本発明に係るプリンタにおけるサイドフレームの一部を取り除いた側面図である。
【０００８】
プリンタ１は、給紙部２、記録部３および排紙部４からなっている。給紙部２は、プリンタ１の後方上部に突き出るように設けられており、その内部にはロール状の記録用紙２０がセットされ、この記録用紙２０を覆うように紙カバー２１が開閉可能に取り付けられている。記録用紙として単票紙を使用する場合には、紙カバー２１を閉めて該カバー表面を利用して連続紙と略同じ用紙搬送路にセットする。
【０００９】
記録部３は、記録ヘッド３1および用紙切断用のカッターを搭載したキャリッジ３0、記録用紙２０を副走査方向に搬送する紙送りローラ３２と従動ローラ３３、記録ヘッド３1へのインク供給装置、用紙搬送路４０に明けられた吸引口から外気を吸い込み、記録用紙２０を吸引し浮き上がりを防止する紙吸引装置、記録を実行する為の制御装置等を備え、キャリッジ３０、フラットケーブル３４、インクチューブ３５、用紙搬送路４０等を覆うよう上蓋３６と前蓋３７が設けられている。前蓋３７は、用紙搬送面側に位置する下部が回動可能に支持されている。
【００１０】
キャリッジ３０は、サイドフレーム３８に両端が支持されたレール６にコロ３９を介して吊り下げられ、かつキャリッジベルト７が連結されている。キャリッジ駆動装置（図示を省略）によってキャリッジベルト７が作動すると、キャリッジ３０はキャリッジベルト７の動きに連行され、レール６に案内されて往復移動する。記録ヘッド３１には、制御部から記録信号を送るためのフラットケーブル３４とインクを供給する複数のインクチューブ３５が接続されている。
【００１１】
キャリッジ３０のホームポジションは、ケーシング１０内に設けられており、記録ヘッド３１のクリーニング装置、ワイパ装置、キャリッジロック装置などが装備されている。ケーシング１０には、記録書込みを実行するときの各種の設定を行うための操作パネル８が設けられている。
【００１２】
記録部３の前側には、インク供給装置を構成するカートリッジホルダ５が備えられ、このカートリッジホルダ５のホルダ本体５０に６色分（イエロー、ライトマゼンタ、ライトシアン、マゼンタ、シアン、黒）のインクカートリッジ５２が横並びかつプリンタ１の前面側から抜き差し可能に納められている。ホルダ本体５０には、挿し込まれたインクカートリッジ５２を覆うホルダカバー５１が開閉可能に設けられている。各色のインクは、インクチューブ３５を通して記録ヘッド３１に供給され、記録用紙２０への記録に使われる。
【００１３】
本実施例のプリンタ１における記録動作は、給紙部２から給送された記録用紙２０を紙送りローラ３２と従動ローラ３３の協働により間欠的にプラテンへ送り、記録ヘッド３１の往復移動により記録し、その記録用紙２０が排紙部４の排紙ローラ４２によりプリンタ１の前方斜め下方に向けて搬送される。記録終了後にキャリッジ３０を走行させ、カッターにより記録用紙２０を切断し、排紙受け装置（図示を省略）に排紙される。符号９は、プリンタ１をテーブル上に載置するときの脚である。
【００１４】
次に、記録用紙の切断装置、キャリッジロック装置およびロック解除装置について説明する。図３はキャリッジのホームポジションの構成を示す正面図、図４は切断装置とキャリッジロック装置を示す、図３のＩ−Ｉ矢視図、図５は図４のII−II矢視図である。
キャリッジ３０がホームポジションに在るとき、キャップピングユニット１１が作動してキャップ１２にて記録ヘッド３１を封止し、そのキャップ１２内を負圧にして記録ヘッド３１のインクを吸引し、目詰まり等を防止する。
【００１５】
切断装置６０とロック解除装置７０は、キャリッジ３０の主走査方向の前側に配置されている。切断装置６０は、キャリッジ本体のサイドプレート３０ａにプランジャ取付け部６１を固定し、このプランジャ取付け部６１に電磁プランジャ６２が内装されている。プランジャ取付け部６１には、カッター６６を支持するカッターホルダ６３が一体的に設けられており、カッターホルダ６３の下端からカッター６６のカッター取付け軸６５を支持するカッター軸受け部６４が延設されている。カッター取付け軸６５の上部には、スプリング受け部６７が設けられており、このスプリング受け部６７とカッターホルダ６３内の肩部６３ａとの間に圧縮スプリング６８が介在され、常時カッター６６をカッターホルダ６３側に引っ込めるよう付勢されている。
【００１６】
ロック解除装置７０は、切断装置６０の電磁プランジャ６２を動力としてロック解除動作を行うよう構成されている。サイドプレート３０ａの内面に沿ってキッカー７１が配設され、サイドプレート３０ａとキッカー７１の間にスプリング７２が介在され、キッカー７１を反ロック解除方向に付勢している。キッカー７１は、電磁プランジャ６２側に二股の連係部７３が突設され、反対側はキッカー７１の作動方向に伸びたサイドプレート３０ａのガイド面３０ｂに当接されている。電磁プランジャ６２の作動子６２ａは、スプリング６９により常時突出させる方向に付勢されており、通電により引っ込むよう構成されている。この作動子６２ａの端部にはレバー７４，７５が取り付けられ、切断装置６０とロック解除装置７０側に伸びており、一方のレバー７４はカッター取付け軸６５の上端に取着され、他方のレバー７５はキッカー７１の二股の連係部に差し込まれて係止されている。
【００１７】
キャリッジロック装置８０は、図３に示すようにプリンタ本体のサイドフレーム３８に軸支部８１を固定し、この軸支部８１にロック部材８２を回動可能に支持すると共に、軸支部８１にはロック部材８２を矢印方向に付勢するコイルスプリング（図示を省略）が内蔵されている。ロック部材８２は、図示の位置で上方への回動が規制されている。また、ロック部材８２は、キャリッジ３０の走行方向かつホームポジション側に伸びており、キッカー７１に対向する先端に向かって傾斜面８２ａを有する。キャリッジ３０がホームポジションへ移送するとき、ロック部材８２の傾斜面８２ａに当接しながら乗り越える被ロック部材８３がキャリッジ３０側に設けられている。図３のロック部材８２と被ロック部材８３の関係は、キャリッジ３０のロック状態を示している。
【００１８】
上記実施例の作用を説明する。図６はキャリッジロックの解除動作の説明図、図７は図６のIII−III矢視図である。
記録書込みにおいて、電磁プランジャ６２に通電し、キッカー７１を突出させてロック部材８２を図６の矢印方向に回動し、ロック解除を行う。その後、キャリッジ３０を駆動し、ホームポジションから主走査方向に移動させる。この動作ではキッカー７１の突出に連動してカッター６６も突出しているので、用紙搬送路に入る前に電磁プランジャ６２の通電を切ってカッター６６を待機位置に引っ込める。
【００１９】
記録用紙２０への記録書込みを終了し、キャリッジ３０がホームポジションへ移送するとき、図８に示すようにロック部材８２の傾斜面８２ａに被ロック部材８３が当接しながら乗り越えて、図３に示すロック状態となる。続いて、切断装置が動作し、電磁プランジャ６２に通電すると、図６に示すようにカッター６６およびキッカー７１が同時に突出し、キッカー７１によりロック部材８２を矢印方向に回動し、ロック状態を解除する。その後、キャリッジ３０が主走査方向に移動し、印刷された用紙をカッター６６で切断する。用紙の切断が終了すると、電磁プランジャ６２の通電が切られ、カッター６６とキッカー７１は共に待機位置に引っ込められる。キャリッジ３０はホームポジションへ移送され、ロック動作が行われる。
【００２０】
【発明の効果】
本発明によれば、キャリッジに搭載した切断手段の電磁プランジャをロック解除手段の駆動源とすることで、部品を削減し、キャリッジの簡素化、軽量化が図れる。
【図面の簡単な説明】
【図１】本発明に係るプリンタにおける装置本体の前蓋を開いた状態を示す斜視図である。
【図２】本発明に係るプリンタにおける一部のサイドフレームを取り除いた側面図である。
【図３】キャリッジのホームポジションの構成を示す正面図である。
【図４】本発明に係るプリンタにおける切断装置とロック装置を示す、図３のＩ−Ｉ矢視図である。
【図５】図４のII−II矢視図である。
【図６】本発明に係るプリンタにおけるキャリッジロックの解除動作の説明図である。
【図７】図６のIII−III矢視図である。
【図８】本発明に係るプリンタにおけるキャリッジロックの説明図である。
【符号の説明】
１    プリンタ
２    給紙部
３    記録部
４    排紙部
５    インクカットリッジホルダ
２０  記録用紙（連続紙）
３０  キャリッジ
３０ａ  キャリッジ本体のサイドプレート
３１  記録ヘッド
６０  切断装置
６２  電磁プランジャ
６６  カッター
７０  ロック解除装置
７１  キッカー
８０  ロック装置
８２  ロック部材
８３  被ロック部材
【図１】
0003826988.tif 000002
【図２】
0003826988.tif 000003
【図３】
0003826988.tif 000004
【図４】
0003826988.tif 000005
【図５】
0003826988.tif 000006
【図６】
0003826988.tif 000007
【図７】
0003826988.tif 000008
【図８】
0003826988.tif 000009